【手続補正書】
【提出日】平成21年6月17日(2009.6.17)
【手続補正１】
【補正対象書類名】特許請求の範囲
【補正対象項目名】全文
【補正方法】変更
【補正の内容】
【特許請求の範囲】
【請求項１】
キャスター（２ｂ）を具備し床上を移動可能となるよう構成したベース（２）にマスト（３）が立設され、該マスト（３）に支持フレーム（４）を介して入浴者の乗るボトムが支持され、さらに、該ボトムは中間ボトム（６）の両側部に側部ボトム（５）を上下回動自在となる状態で連設してなる入浴用ストレッチャー（１）において、前記支持フレーム（４）と側部ボトム（５）との間には該側部ボトム（５）を保持する保持手段（７）が設けられると共に該保持手段（７）にはロック手段（２６）を設けるに、前記保持手段（７）は前記支持フレーム（４）に固着した左右一対の基部材（２４）を備える一方、それぞれの側部ボトム（５）に回動自在に取付けた連結杆（２５）の自由端側に係合軸（２５ａ）を固着しており、該係合軸（２５ａ）を前記基部材（２４）に設けた係合穴（２７）に係止することにより側部ボトム（５）を保持できるように前記係合穴（２７）は前記マスト（３）から離間する下方向きの第一長穴部（２７ａ）と第二長穴部（２７ｃ）をフ形穴部（２７ｂ）で連続させると共にこれらの穴部から外方に一体的に設けた複数のフック穴部（２７ｄ）とからなり、前記係合軸（２５ａ）を前記係合穴（２７）に挿通させ何れかのフック穴部（２７ｄ）に係合させることで前記側部ボトム（５）を所定の角度で保持する構成とし、前記ロック手段（２６）は前記基部材（２４）に止着した第一駒材（２８）と第二駒材（２９）に沿って移動する作動プレート（３２）と、前記側部ボトム（５）に回動自在に取付けた操作レバー（３３）と、該操作レバー（３３）の上下回動により前記作動プレート（３２）を移動させるロッド（３４）とからなり、前記操作レバー（３３）は正面視においてへ字状に形成し該操作レバー（３３）の屈曲部を前記側部ボトム（５）の基部近傍に上下回動自在となるよう取付け、該操作レバー（３３）の前記中間ボトム（６）側の端部に前記ロッド（３４）の一端部を支承するとともに他端部に固着した連結軸（３４ａ）を前記作動プレート（３２）に設けた長孔状の連結穴（３２ｄ）に挿通する一方、前記基部材（２４）と前記ロッド（３４）間に弾性体（４０）を配して前記操作レバー（３３）の自由端側が下方回動する方向に付勢するとともに、前記ロッド（３４）と前記作動プレート（３２）間に弾性体（３９）を配して該作動プレート（３２）がロッド（３４）の下方移動に追従する方向に付勢し、前記作動プレート（３２）には上記連結杆（２５）の係合軸（２５ａ）の一端が係合される長穴部（３２ａ）を設けることにより、前記操作レバー（３３）が下方回動状態では前記作動プレート（３２）が上方に位置し該長穴部（３２ａ）が前記フック穴部（２７ｄ）に位置する係合軸（２５ａ）を保持することで前記側部ボトム（５）が回動できないロック状態となり、前記操作レバー（３３）が上方回動状態では前記作動プレート（３２）が下方に位置し該長穴部（３２ａ）の下方移動により前記係合軸（２５ａ）を第一長穴部（２７ａ）または第二長穴部（２７ｃ）に移動させ前記側部ボトム（５）が上下回動自在な状態となるよう構成する一方、前記側部ボトム（５）を下方回動する際には上記フ形穴部（２７ｄ）により形成される爪部（４１）と前記長穴部（３２ａ）で前記係合軸（２５）が保持され前記側部ボトム（５）の下方回動が制限されるよう構成し、この状態で前記側部ボトム（５）が水平状態となるよう構成したことを特徴とする入浴用ストレッチャー（１）。
【請求項２】
前記操作レバー（３３）の回動操作と共に、前記保持手段（７）を構成する連結杆（２５）を下方回動操作をすることで、前記作動プレート（３２）を押し下げ前記係合軸（２５）がフ形穴部（２７ｄ）を移動し側部ボトム（５）を略々水平な状態から下方回動可能になるよう構成したことを特徴とする請求項１に記載の入浴用ストレッチャー（１）。
【請求項３】
前記操作レバー（３３）を前記側部ボトム（５）の下方へ突出するように設け、さらに、該操作レバー（３３）を上方回動操作することで、保持手段（７）のロック状態の解除を行うようにしたことを特徴とする請求項１又は請求項２に記載の入浴用ストレッチャー（１）。
【請求項４】
頭受け（１０）にレバー部材（４３）を回動可能に取付けてなる延長手段（４５）を設け、該頭受け（１０）を前記側部ボトム（５）に組付けるときに、前記レバー部材（４３）に設けた連結部（４３ａ）に前記操作レバー（３３）を嵌入して、レバー部材（４３）と操作レバー（３３）を連結するようにしたことを特徴とする請求項１から請求項３の何れか一つに記載の入浴用ストレッチャー（１）。
【手続補正２】
【補正対象書類名】明細書
【補正対象項目名】０００５
【補正方法】変更
【補正の内容】
【０００５】
請求項１の発明は、キャスター（２ｂ）を具備し床上を移動可能となるよう構成したベース（２）にマスト（３）が立設され、該マスト（３）に支持フレーム（４）を介して入浴者の乗るボトムが支持され、さらに、該ボトムは中間ボトム（６）の両側部に側部ボトム（５）を上下回動自在となる状態で連設してなる入浴用ストレッチャー（１）において、前記支持フレーム（４）と側部ボトム（５）との間には該側部ボトム（５）を保持する保持手段（７）が設けられると共に該保持手段（７）にはロック手段（２６）を設けるに、前記保持手段（７）は前記支持フレーム（４）に固着した左右一対の基部材（２４）を備える一方、それぞれの側部ボトム（５）に回動自在に取付けた連結杆（２５）の自由端側に係合軸（２５ａ）を固着しており、該係合軸（２５ａ）を前記基部材（２４）に設けた係合穴（２７）に係止することにより側部ボトム（５）を保持できるように前記係合穴（２７）は前記マスト（３）から離間する下方向きの第一長穴部（２７ａ）と第二長穴部（２７ｃ）をフ形穴部（２７ｂ）で連続させると共にこれらの穴部から外方に一体的に設けた複数のフック穴部（２７ｄ）とからなり、前記係合軸（２５ａ）を前記係合穴（２７）に挿通させ何れかのフック穴部（２７ｄ）に係合させることで前記側部ボトム（５）を所定の角度で保持する構成とし、前記ロック手段（２６）は前記基部材（２４）に止着した第一駒材（２８）と第二駒材（２９）に沿って移動する作動プレート（３２）と、前記側部ボトム（５）に回動自在に取付けた操作レバー（３３）と、該操作レバー（３３）の上下回動により前記作動プレート（３２）を移動させるロッド（３４）とからなり、前記操作レバー（３３）は正面視においてへ字状に形成し該操作レバー（３３）の屈曲部を前記側部ボトム（５）の基部近傍に上下回動自在となるよう取付け、該操作レバー（３３）の前記中間ボトム（６）側の端部に前記ロッド（３４）の一端部を支承するとともに他端部に固着した連結軸（３４ａ）を前記作動プレート（３２）に設けた長孔状の連結穴（３２ｄ）に挿通する一方、前記基部材（２４）と前記ロッド（３４）間に弾性体（４０）を配して前記操作レバー（３３）の自由端側が下方回動する方向に付勢するとともに、前記ロッド（３４）と前記作動プレート（３２）間に弾性体（３９）を配して該作動プレート（３２）がロッド（３４）の下方移動に追従する方向に付勢し、前記作動プレート（３２）には上記連結杆（２５）の係合軸（２５ａ）の一端が係合される長穴部（３２ａ）を設けることにより、前記操作レバー（３３）が下方回動状態では前記作動プレート（３２）が上方に位置し該長穴部（３２ａ）が前記フック穴部（２７ｄ）に位置する係合軸（２５ａ）を保持することで前記側部ボトム（５）が回動できないロック状態となり、前記操作レバー（３３）が上方回動状態では前記作動プレート（３２）が下方に位置し該長穴部（３２ａ）の下方移動により前記係合軸（２５ａ）を第一長穴部（２７ａ）または第二長穴部（２７ｃ）に移動させ前記側部ボトム（５）が上下回動自在な状態となるよう構成する一方、前記側部ボトム（５）を下方回動する際には上記フ形穴部（２７ｄ）により形成される爪部（４１）と前記長穴部（３２ａ）で前記係合軸（２５）が保持され前記側部ボトム（５）の下方回動が制限されるよう構成し、この状態で前記側部ボトム（５）が水平状態となるよう構成したことを特徴とする。
請求項２の発明は、前記操作レバー（３３）の回動操作と共に、前記保持手段（７）を構成する連結杆（２５）を下方回動操作をすることで、前記作動プレート（３２）を押し下げ前記係合軸（２５）がフ形穴部（２７ｄ）を移動し側部ボトム（５）を略々水平な状態から下方回動可能になるよう構成したことを特徴とする。
請求項３の発明は、前記操作レバー（３３）を前記側部ボトム（５）の下方へ突出するように設け、さらに、該操作レバー（３３）を上方回動操作することで、保持手段（７）のロック状態の解除を行うようにしたことを特徴とする。
請求項４の発明は、頭受け（１０）にレバー部材（４３）を回動可能に取付けてなる延長手段（４５）を設け、該頭受け（１０）を前記側部ボトム（５）に組付けるときに、前記レバー部材（４３）に設けた連結部（４３ａ）に前記操作レバー（３３）を嵌入して、レバー部材（４３）と操作レバー（３３）を連結するようにしたことを特徴とする。